(57)【要約】【課題】シート状に折り畳まれた長尺フィルムの折り癖を緩和することができるインナーガイドユニットを提供する。【解決手段】長尺フィルムＬＦ内に収容されるインナーガイド６１と、このインナーガイド６１を支持するガイドサポート７０とから構成されており、インナーガイド６１は、ガイドサポート７０によって支持される被支持部６２と、この被支持部６２に連設された、長尺フィルムＬＦの切断端を離反させる離反部６７とから構成されている。被支持部６２は、周面の一部がベース部材６３、６３の両側縁からそれぞれ外側に張り出すように、ベース部材６３、６３に回転可能に支持された一対のガイド側押圧ローラ６５、６５を備えており、ガイドサポート７０を構成しているサポート側押圧ローラ８１Ａ、８１Ｂによって、長尺フィルムＬＦにおける両側縁の折り目部分をガイド側押圧ローラ６５、６５との間にそれぞれ挟み込んで押し広げるようになっている。【選択図】        図４
2011195176.tif 000002
【特許請求の範囲】
【請求項１】
筒状フィルムが連続的に繋がった、シート状に折り畳まれた帯状の長尺フィルム内に収容されるインナーガイドと、
前記インナーガイドを長尺フィルムの外側から支持するガイドサポートとを備え、
前記インナーガイドは、
前記ガイドサポートによって支持される被支持部と、
この被支持部における長尺フィルムの送出方向の下流側に連設された、長尺フィルムの切断端を離反させる離反部とを備え、
前記被支持部は、
扁平なベース部材と、
周面の一部が前記ベース部材の両外側縁からそれぞれ外側に張り出すように、前記ベース部材に回転可能に支持された一対の上流側ガイドローラと、
周面の一部が前記ベース部材の両外側縁からそれぞれ外側に張り出すように、長尺フィルムの送出方向における前記上流側ガイドローラの下流側で、前記ベース部材に回転可能に支持された一対の下流側ガイドローラと、
周面の一部が前記ベース部材の両側縁からそれぞれ外側に張り出すように、前記ベース部材に回転可能に支持された、少なくとも一対のガイド側押圧ローラとを有し、
前記離反部は、先端側が相互に離反した状態で、長尺フィルムの切断位置の近傍まで至る一対の板材を有し、
前記ガイドサポートは、
前記上流側ガイドローラと前記下流側ガイドローラとの間で、前記インナーガイドを、その両側からそれぞれ挟み込んで支持する少なくとも一対の支持ローラと、
それぞれの前記ガイド側押圧ローラとの間に長尺フィルムにおける両側縁の折り目部分をそれぞれ挟み込む、少なくとも一対のサポート側押圧ローラと、
少なくとも、一方の前記サポート側押圧ローラを前記ガイド側押圧ローラ側に付勢する付勢手段とを有し、
前記付勢手段の付勢力によって、前記サポート側押圧ローラを前記ガイド側押圧ローラに押圧することで、長尺フィルムにおける両側縁の折り目部分を押し広げるようにしたことを特徴とするインナーガイドユニット。
【請求項２】
筒状フィルムが連続的に繋がった、シート状に折り畳まれた長尺フィルムを送出する長尺フィルム送出ユニットと、
前記長尺フィルム送出ユニットによって送出されてくる長尺フィルムを所定長に切断することで、個別の筒状フィルムを形成するフィルム切断ユニットと、
筒状フィルムを被嵌することによって所定状態に開口するマンドレルと、
前記マンドレルに被嵌された筒状フィルムを前記マンドレルの下端側に移送するフィルム移送ユニットと、
前記フィルム移送ユニットによって前記マンドレルの下端部に移送された筒状フィルムを、送出ローラによって前記マンドレルとの間に挟み込んで、所定のタイミングで前記マンドレルの直下のフィルム被嵌位置に送出することで、フィルム被嵌位置に搬送されてくる被嵌体に筒状フィルムを被嵌するフィルム送出ユニットとを備え、
切断された長尺フィルムの端部を前記マンドレルに被嵌した状態で、前記フィルム切断ユニットが所定長の筒状フィルムを切り離すようになっているフィルム被嵌装置において、
請求項１に記載のインナーガイドユニットを、長尺フィルムの送出方向における前記フィルム切断ユニットの上流側に配設したことを特徴とするフィルム被嵌装置。
【発明の詳細な説明】
【技術分野】
【０００１】
この発明は、シート状に折り畳まれた帯状の長尺フィルムを所定長に切断することによって形成した個別の筒状フィルムを、所定形状に開口しながら容器等の被嵌体に被嵌するフィルム被嵌装置及びこのフィルム被嵌装置に搭載される、切断後の筒状フィルムの開口性を向上させるためのインナーガイドユニットに関する。
【背景技術】
【０００２】
この種のフィルム被嵌装置は、原反供給装置に装着された原反ロール（図示せず）から長尺フィルムを引き出して送出する長尺フィルム送出ユニットと、この長尺フィルム送出ユニットによって送出されてくる長尺フィルムを所定長に切断することで、個別の筒状フィルムを形成するフィルム切断ユニットと、このフィルム切断ユニットによって長尺フィルムから切り離された筒状フィルムを被嵌することによって所定状態に開口するマンドレルと、このマンドレルに被嵌された筒状フィルムをマンドレルの下端側に移送するフィルム移送ユニットと、このフィルム移送ユニットによってマンドレルの下端部に移送された筒状フィルムを、送出ローラでマンドレルとの間に挟み込んで、所定のタイミングでマンドレルの直下のフィルム被嵌位置に送出するフィルム送出ユニットとを備えており、こういったフィルム被嵌装置では、切断された長尺フィルムの端部をマンドレルに被嵌した後に、所定長の筒状フィルムを切り離すことになるが、長尺フィルムの切断端は擬似接着状態になって開きにくいので、長尺フィルムの切断端をマンドレルに確実に被嵌することができるように、こういった長尺フィルムの切断端の擬似接着状態を解除するためのインナーガイドが、フィルム切断ユニットにおける長尺フィルムの送出方向の上流側に設置されている。
【０００３】
図１０に示すように、前記インナーガイドユニット９０は、シート状に折り畳まれた帯状の長尺フィルムＬＦ内に収容されるインナーガイド９１と、このインナーガイド９１を長尺フィルムＬＦの外側から支持するガイドサポート９７とから構成されており、長尺フィルムＬＦ内に収容されたインナーガイド９１が、シート状に折り畳まれた帯状の長尺フィルムＬＦの切断端付近を強制的に離反させることで、長尺フィルムＬＦの切断端の擬似接着状態を解除するようになっている。
【０００４】
前記インナーガイド９１は、同図に示すように、連結部材９４を介して相互に連結された一対の扁平なベース部材９２、９２と、周面の一部がベース部材９２、９２の両外側縁からそれぞれ外側に張り出すように、ベース部材９２、９２に回転可能に支持された一対の上流側ガイドローラ９３Ｕ、９３Ｕ及び一対の下流側ガイドローラ９３Ｄ、９３Ｄと、連結部材９４における長尺フィルムＬＦの送出方向の下流側の端部に幅狭の連結プレート９５を介して連結された、先端側が相互に離反した状態で、長尺フィルムＬＦの切断位置の近傍まで至る一対のばね板９６とを備えており、この一対のばね板９６によって、擬似接着された長尺フィルムＬＦの切断端を離反させることで、擬似接着状態を解除するようになっている。
【０００５】
前記ガイドサポート９７は、接近離反可能に支持された、外周面における幅方向の中央部が窪んだ溝部を有する一対の上流側支持ローラ９８Ｕ、９８Ｕ及び一対の下流側支持ローラ９８Ｄ、９８Ｄを備えており、インナーガイド９１の上流側ガイドローラ９３Ｕ、９３Ｕの張出部分の下側を、ガイドサポート９７の上流側支持ローラ９８Ｕ、９８Ｕの溝部分に載せると共に、インナーガイド９１の下流側ガイドローラ９３Ｄ、９３Ｄの張出部分の上側にガイドサポート９７の下流側支持ローラ９８Ｄ、９８Ｄの溝部分を嵌め入れるように、上流側支持ローラ９８Ｕ、９８Ｕ及び下流側支持ローラ９８Ｄ、９８Ｄを配置することで、インナーガイド９１が上下方向に僅かに移動可能な遊びを持った状態で上下方向及び前後方向に位置決めされるようになっている。
【０００６】
また、前記長尺フィルム送出ユニットは、同図に示すように、長尺フィルムＬＦを挟み込む一対の駆動ローラ（図に現れていない）及び一対の従動ローラ１０１、１０１を備えており、これらの駆動ローラ及び従動ローラ１０１、１０１は、連結プレート９５の外側において、長尺フィルムＬＦをそれぞれ挟み込むようになっている。
【先行技術文献】
【特許文献】
【０００７】
【特許文献１】特開２００２−１５４５０６号公報
【発明の概要】
【発明が解決しようとする課題】
【０００８】
ところで、上述したようなインナーガイドユニット９０をフィルム被嵌装置に搭載すると、インナーガイド９１のばね板９６の付勢力によって、長尺フィルムＬＦの切断端の擬似接着状態を解除することができ、切断された長尺フィルムの端部をマンドレルに円滑かつ確実に被嵌することはできるが、ガイドサポート９７の上流側支持ローラ９８Ｕ、９８Ｕ及び下流側支持ローラ９８Ｄ、９８Ｄは、インナーガイド９１の上流側ガイドローラ９３Ｕ、９３Ｕ及び下流側ガイドローラ９３Ｄ、９３Ｄに対して、長尺フィルムＬＦの両側縁の折り目部分を積極的に押圧している訳ではないので、シート状に折り畳まれた長尺フィルムＬＦの折り癖を緩和することはできず、マンドレルによって開口された筒状フィルムがマンドレルから送出された時点で、折り目部分のスプリングバック作用により、筒状フィルムが扁平な状態に戻ろうとするので、口径が被嵌体の外径より僅かに大きく設定されたタイトな筒状フィルムについては、円滑かつ確実に被嵌体に被嵌することができないといった問題がある。特に、ヒンジ付のキャップ部分に筒状フィルムからなるキャップシールを被嵌する場合のように、径方向外側に張り出す突起が外周面に形成された被嵌体に筒状フィルムを被嵌する場合に、その問題が顕著に現れることになる。
【０００９】
また、ガイドサポート９７の上流側支持ローラ９８Ｕ、９８Ｕ及び下流側支持ローラ９８Ｄ、９８Ｄを、インナーガイド９１の上流側ガイドローラ９３Ｕ、９３Ｕ及び下流側ガイドローラ９３Ｄ、９３Ｄに積極的に押圧することで、長尺フィルムＬＦの折り目部分を押し広げて長尺フィルムＬＦの折り癖を取ることも考えられるが、そのようにすると、ガイドサポート９７に対するインナーガイド９１の自由度がなくなり、上流側支持ローラ９８Ｕ、９８Ｕ及び下流側支持ローラ９８Ｄ、９８Ｄによる押圧箇所で詰まってしまい、長尺フィルムＬＦを円滑かつ確実に送出することができないといった問題が発生する。
【００１０】
そこで、この発明の課題は、シート状に折り畳まれた長尺フィルムの折り癖を緩和することができるインナーガイドユニット及びそのインナーガイドユニットが搭載されたフィルム被嵌装置を提供することにある。
【課題を解決するための手段】
【００１１】
上記の課題を解決するため、請求項１に係る発明は、筒状フィルムが連続的に繋がった、シート状に折り畳まれた帯状の長尺フィルム内に収容されるインナーガイドと、前記インナーガイドを長尺フィルムの外側から支持するガイドサポートとを備え、前記インナーガイドは、前記ガイドサポートによって支持される被支持部と、この被支持部における長尺フィルムの送出方向の下流側に連設された、長尺フィルムの切断端を離反させる離反部とを備え、前記被支持部は、扁平なベース部材と、周面の一部が前記ベース部材の両外側縁からそれぞれ外側に張り出すように、前記ベース部材に回転可能に支持された一対の上流側ガイドローラと、周面の一部が前記ベース部材の両外側縁からそれぞれ外側に張り出すように、長尺フィルムの送出方向における前記上流側ガイドローラの下流側で、前記ベース部材に回転可能に支持された一対の下流側ガイドローラと、周面の一部が前記ベース部材の両側縁からそれぞれ外側に張り出すように、前記ベース部材に回転可能に支持された、少なくとも一対のガイド側押圧ローラとを有し、前記離反部は、先端側が相互に離反した状態で、長尺フィルムの切断位置の近傍まで至る一対の板材を有し、前記ガイドサポートは、前記上流側ガイドローラと前記下流側ガイドローラとの間で、前記インナーガイドを、その両側からそれぞれ挟み込んで支持する少なくとも一対の支持ローラと、それぞれの前記ガイド側押圧ローラとの間に長尺フィルムにおける両側縁の折り目部分をそれぞれ挟み込む、少なくとも一対のサポート側押圧ローラと、少なくとも、一方の前記サポート側押圧ローラを前記ガイド側押圧ローラ側に付勢する付勢手段とを有し、前記付勢手段の付勢力によって、前記サポート側押圧ローラを前記ガイド側押圧ローラに押圧することで、長尺フィルムにおける両側縁の折り目部分を押し広げるようにしたことを特徴とするインナーガイドユニットを提供するものである。
【００１２】
また、請求項２に係る発明は、筒状フィルムが連続的に繋がった、シート状に折り畳まれた長尺フィルムを送出する長尺フィルム送出ユニットと、前記長尺フィルム送出ユニットによって送出されてくる長尺フィルムを所定長に切断することで、個別の筒状フィルムを形成するフィルム切断ユニットと、筒状フィルムを被嵌することによって所定状態に開口するマンドレルと、前記マンドレルに被嵌された筒状フィルムを前記マンドレルの下端側に移送するフィルム移送ユニットと、前記フィルム移送ユニットによって前記マンドレルの下端部に移送された筒状フィルムを、送出ローラによって前記マンドレルとの間に挟み込んで、所定のタイミングで前記マンドレルの直下のフィルム被嵌位置に送出することで、フィルム被嵌位置に搬送されてくる被嵌体に筒状フィルムを被嵌するフィルム送出ユニットとを備え、切断された長尺フィルムの端部を前記マンドレルに被嵌した状態で、前記フィルム切断ユニットが所定長の筒状フィルムを切り離すようになっているフィルム被嵌装置において、請求項１に記載のインナーガイドユニットを、長尺フィルムの送出方向における前記フィルム切断ユニットの上流側に配設したことを特徴としている。
【発明の効果】
【００１３】
以上のように、請求項１に係る発明のインナーガイドユニットは、長尺フィルム内に収容されるインナーガイドを構成しているガイド側押圧ローラと、インナーガイドを長尺フィルムの外側から支持するガイドサポートを構成しているサポート側押圧ローラとによって、長尺フィルムにおける両側縁の折り目部分をそれぞれ挟み込んで押し広げるようになっているので、離反部を構成している一対の板材によって、シート状に折り畳まれた長尺フィルムの切断端の擬似接着状態を解除することができるだけでなく、長尺フィルムの折り癖を緩和することができる。
【００１４】
しかも、少なくとも一方のサポート側押圧ローラを、付勢手段の付勢力によって、ガイド側押圧ローラに押圧しているので、双方のサポート側押圧ローラを完全に固定している場合に比べて、長尺フィルムがサポート側押圧ローラによる押圧箇所で詰まりにくく、長尺フィルムの折り癖を取りながら、インナーガイドを円滑かつ確実に通過させることができる。
【００１５】
また、請求項２に係る発明のフィルム被嵌装置には、請求項１に係る発明のインナーガイドユニットが、長尺フィルムの送出方向におけるフィルム切断ユニットの上流側に配設されているので、フィルム切断ユニットによって長尺フィルムから切り離された筒状フィルムの折り癖が緩和され、マンドレルによって開口された筒状フィルムが、フィルム送出ユニットによってマンドレルから送出された時点で、扁平な状態に戻りにくく、口径が被嵌体の外径より僅かに大きく設定されたタイトな筒状フィルムであっても、円滑かつ確実に被嵌体に被嵌することができる。
【図面の簡単な説明】
【００１６】
【図１】この発明に係るインナーガイドユニットを搭載したフィルム被嵌装置の一実施形態を示す概略正面図である。
【図２】同上のフィルム被嵌装置を示す概略側面図である。
【図３】同上のインナーガイドユニット部分を示す拡大正面図である。
【図４】同上のインナーガイドユニット部分を示す拡大側面図である。
【図５】（ａ）は同上のインナーガイドユニットを構成しているインナーガイドを示す正面図、（ｂ）は同上のインナーガイドを示す側面図である。
【図６】（ａ）は同上のインナーガイドユニットを構成しているガイドサポートを示す正面図、（ｂ）は同上のガイドサポートを示す側面図である。
【図７】図４のＸ−Ｘ線に沿った断面図である。
【図８】図４のＹ−Ｙ線に沿った断面図である。
【図９】支持ローラによるガイド側押圧ローラ上流側ガイドローラの支持状態を説明するための部分拡大断面図である。
【図１０】従来のインナーガイドユニットを示す側面図である。
【発明を実施するための形態】
【００１７】
以下、実施の形態について図面を参照して説明する。図１及び図２に示すように、このフィルム被嵌装置１は、筒状フィルムＦが連続的に繋がった、シート状に折り畳まれた状態の長尺フィルムＬＦから個別の筒状フィルムＦを切り離しながら、この筒状フィルムＦをフィルム被嵌位置αに順次送出することで、ベルトコンベアによって所定の搬送ピッチでフィルム被嵌位置αに順次搬送されてくるボトル容器（以下、容器という。）Ｂの首部に被嵌するようになっており、ロールフィーダに装着された原反ロール（図示せず）から長尺フィルムＬＦを引き出して送出する、長尺フィルムＬＦを挟み込む駆動ローラ１１及び従動ローラ１２を有する長尺フィルム送出ユニット１０と、この長尺フィルム送出ユニット１０によって送出されてくる長尺フィルムＬＦを所定長に切断することで個別の筒状フィルムＦを形成する、相互に接近離反することによって開閉する剪断刃２１、２２を有するフィルム切断ユニット２０と、このフィルム切断ユニット２０によって長尺フィルムＬＦから切り離された筒状フィルムＦを被嵌することによって所定状態に開口する砲弾型のマンドレル３０と、このマンドレル３０に被嵌された筒状フィルムＦをマンドレル３０の下端側に移送するフィルム移送ユニット４０と、このフィルム移送ユニット４０によってマンドレル３０の下端部に移送されてきた筒状フィルムＦをフィルム被嵌位置αに送出するフィルム送出ユニット５０とを備えている。
【００１８】
このフィルム被嵌装置１では、フィルム切断ユニット２０によって切断された長尺フィルムＬＦの端部をマンドレル３０に被嵌した後に、フィルム切断ユニット２０が所定長の筒状フィルムＦを切り離すようになっており、フィルム切断ユニット２０における長尺フィルムＬＦの送出方向の上流側には、擬似接着状態となる長尺フィルムＬＦの切断端をマンドレル３０に確実に被嵌することができるように、長尺フィルムＬＦの切断端の擬似接着状態を解除するためのインナーガイドユニット６０が設けられている。
【００１９】
前記フィルム移送ユニット４０は、図１に示すように、マンドレル３０に被嵌した状態で、フィルム切断ユニット２０によって長尺フィルムＬＦから切り離された筒状フィルムＦを、マンドレル３０との間に挟み込んでマンドレル３０の下方側に移送する、マンドレル３０における容器Ｂの搬送方向の上流側及び下流側にそれぞれ配設された上流側フィードベルトユニット４０Ａ及び下流側フィードベルトユニット４０Ｂから構成されており、上流側フィードベルトユニット４０Ａ及び下流側フィードベルトユニット４０Ｂは、それぞれ駆動プーリ４１と３個の従動プーリ４２、４３、４４と、これらに掛け渡されるフィードベルト４５とから構成されている。
【００２０】
前記フィルム送出ユニット５０は、図１に示すように、マンドレル３０の下端位置にそれぞれ配設された、フィルム移送ユニット４０によってマンドレル３０の下端部まで移送されてくる筒状フィルムＦを受け取ってマンドレルとの間に挟み込む上流側ショットローラ５１及び下流側ショットローラ５２を備えており、上流側ショットローラ５１及び下流側ショットローラ５２の双方を駆動して筒状フィルムＦをマンドレル３０から送出することで、フィルム被嵌位置αに搬送されてきた容器Ｂの首部に筒状フィルムＦを被嵌するようになっている。
【００２１】
前記インナーガイドユニット６０は、図３及び図４に示すように、筒状フィルムＦが連続的に繋がった、シート状に折り畳まれた帯状の長尺フィルムＬＦ内に収容されるインナーガイド６１と、このインナーガイド６１を長尺フィルムＬＦの外側から支持するガイドサポート７０とから構成されており、長尺フィルムＬＦの送出方向におけるフィルム切断ユニット２０の上流側に配設されている。
【００２２】
前記インナーガイド６１は、図５（ａ）、（ｂ）に示すように、ガイドサポート７０によって支持される被支持部６２と、この被支持部６２における長尺フィルムＬＦの送出方向の下流側に連設された、長尺フィルムＬＦの切断端を離反させる離反部６７とから構成されている。
【００２３】
前記被支持部６２は、連結部材６６を介して相互に連結された一対の扁平なベース部材６３、６３と、周面の一部がベース部材６３、６３の両外側縁からそれぞれ外側に張り出すように、ベース部材６３、６３に回転可能に支持された一対の上流側ガイドローラ６４Ｕ、６４Ｕ及び一対の下流側ガイドローラ６４Ｄ、６４Ｄと、周面の一部がベース部材６３、６３の両側縁からそれぞれ外側に張り出すように、ベース部材６３、６３に回転可能に支持された一対のガイド側押圧ローラ６５、６５とを備えており、ベース部材６３、６３の外側縁には、上流側ガイドローラ６４Ｕ、６４Ｕの周面の下部側を露出させると共に、下流側ガイドローラ６４Ｄ、６４Ｄの周面の上部側を露出させる窪み部６３ｂ、６３ｂがそれぞれ形成されている。なお、ベース部材６３、６３の上端部には、長尺フィルムＬＦをインナーガイド６１に導入するための導入プレート６３ａ、６３ａがそれぞれ取り付けられている。
【００２４】
前記離反部６７は、連結部材６６における長尺フィルムＬＦの送出方向の下流側の端部に幅狭の連結プレート６８を介して連結された、先端側が相互に離反した状態で、長尺フィルムＬＦの切断位置の近傍まで至る一対のばね板６９、６９を備えており、この一対のばね板６９、６９によって、擬似接着された長尺フィルムＬＦの切断端を離反させることで、擬似接着状態を解除するようになっている。
【００２５】
前記ガイドサポート７０は、図６（ａ）、（ｂ）に示すように、フレーム１Ａに取り付けられたベースプレート７１と、一端側が、ベースプレート７１に取り付けられた軸受７２Ａを介して回転可能に支持された、長尺フィルムＬＦの幅方向に延びる、外周面に雄ねじが形成されたねじ軸７３Ａと、他端側が、ベースプレート７１に取り付けられた軸受７２Ｂを介して回転可能に支持された、長尺フィルムＬＦの幅方向に延びる、外周面に雄ねじが形成されたねじ軸７３Ｂと、ねじ軸７３Ａの他端とねじ軸７３Ｂの一端とを回り止めした状態で連結する連結部材７４と、ねじ軸７３Ａの一端側に取り付けられた操作ハンドル７５と、ベースプレート７１によって周り止めされた状態で、ねじ軸７３Ａ及びねじ軸７３Ｂにそれぞれ螺合しているスライドブロック７６Ａ、７６Ｂと、このスライドブロック７６Ａ、７６Ｂに回転可能に取り付けられた、外周面における幅方向の中央部が窪んだ溝部を有する一対の支持ローラ７７Ａ、７７Ｂと、スライドブロック７６Ａ、７６Ｂに固定されたサポート側押圧ローラユニット７８Ａ、７８Ｂとを備えており、ねじ軸７３Ａとねじ軸７３Ｂとは、その外周面に形成された雄ねじの向きが逆になっている。
【００２６】
従って、操作ハンドル７５を回すと、雄ねじの向きが逆のねじ軸７３Ａとねじ軸７３Ｂとが同方向に回転するので、スライドブロック７６Ａ、７６Ｂが逆方向に移動し、支持ローラ７７Ａ、７７Ｂ及びサポート側押圧ローラユニット７８Ａ、７８Ｂが接近離反するようになっている。
【００２７】
前記支持ローラ７７Ａ、７７Ｂは、図４及び図７に示すように、その溝部がインナーガイド６１の上流側ガイドローラ６４Ｕ、６４Ｕの張出部分の下側及びインナーガイド６１の下流側ガイドローラ６４Ｄ、６４Ｄの張出部分の上側に入り込むような状態で、被支持部６２のベース部材６３、６３に形成された窪み部６３ｂ、６３ｂに嵌り込んで、インナーガイド６１が上下方向に僅かに移動可能な遊びを持った状態で上下方向、左右方向及び前後方向に位置決めされるようになっている。
【００２８】
前記サポート側押圧ローラユニット７８Ａは、図６（ａ）、（ｂ）に示すように、スライドブロック７６Ａに固定されたＬ字状の取付部材７９Ａと、この取付部材７９Ａに基端部が支持されたばね板８０Ａと、このばね板８０Ａの先端部に支持ブロックを介して回転可能に支持されたサポート側押圧ローラ８１Ａとを備えており、ばね板８０Ａは、その先端側がサポート側押圧ローラユニット７８Ｂ側に僅かに傾斜している。
【００２９】
前記サポート側押圧ローラユニット７８Ｂは、図６（ａ）、（ｂ）に示すように、スライドブロック７６Ｂに固定されたＬ字状の取付部材７９Ｂと、この取付部材７９Ｂに固定された支持ブロック８０Ｂと、この支持ブロック８０Ｂに回転可能に支持されたサポート側押圧ローラ８１Ｂとを備えており、サポート側押圧ローラ８１Ｂをインナーガイド６１のガイド側押圧ローラ６５に当接させることで、インナーガイド６１を前後方向に位置決めすることができるようになっている。
【００３０】
前記サポート側押圧ローラ８１Ａ、８１Ｂは、図８に示すように、ガイド側押圧ローラ６５、６５との間に長尺フィルムＬＦにおける両側縁の折り目部分をそれぞれ挟み込むようになっており、ばね板８０Ａの付勢力によって、サポート側押圧ローラ８１Ａを一方のガイド側押圧ローラ６５に押圧することで、他方のガイド側押圧ローラ６５がサポート側押圧ローラ８１Ｂによって押圧され、長尺フィルムＬＦにおける両側縁の折り目部分が押し広げられるようになっている。サポート側押圧ローラ８１Ａ、８１Ｂが、ガイド側押圧ローラ６５、６５との間に長尺フィルムＬＦの折り目部分をそれぞれ挟み込んだ状態では、１．８ｋｇｆ以上の押圧力が長尺フィルムＬＦに加わるようになっている。
【００３１】
なお、支持ローラ７７Ａ、７７Ｂは、上述したように、上下方向に僅かに移動可能な遊びを持った状態でインナーガイド６１を支持しており、その溝部の周面をインナーガイド６１の上流側ガイドローラ６４Ｕ、６４Ｕの張出部分に積極的に押し付けているわけではなく、支持ローラ７７Ａ、７７Ｂには、上流側ガイドローラ６４Ｕ、６４Ｕを介して、インナーガイド６１の全重量（例えば、０．２８ｋｇｆ）の１／２の重量（０．１４ｋｇｆ）がそれぞれ加わっているだけなので、図９に示すように、長尺フィルムＬＦの折り目部分を完全に押し広げることはできないようになっている。
【００３２】
また、長尺フィルム送出ユニット１０を構成している駆動ローラ１１及び従動ローラ１２は、それぞれインナーガイド６１の連結プレート６８の両側に配設された一対のローラによって構成されており、サポート側押圧ローラ８１Ａ、８１Ｂによって押し広げた長尺フィルムＬＦにおける両側縁の折り目部分を挟み込まないように、各ローラは幅狭に形成されている。
【００３３】
以上のように、このフィルム被嵌装置１に搭載されたインナーガイドユニット６０は、長尺フィルムＬＦ内に収容されるインナーガイド６１を構成しているガイド側押圧ローラ６５、６５と、インナーガイド６１を長尺フィルムＬＦの外側から支持するガイドサポート７０を構成しているサポート側押圧ローラ８１Ａ、８１Ｂとによって、長尺フィルムＬＦにおける両側縁の折り目部分をそれぞれ挟み込んで押し広げるようになっているので、インナーガイド６１の離反部６７を構成している一対のばね板６９、６９によって、シート状に折り畳まれた長尺フィルムＬＦの切断端の擬似接着状態を解除することができるだけでなく、長尺フィルムＬＦの折り癖を緩和することができる。
【００３４】
従って、フィルム切断ユニット２０によって長尺フィルムＬＦから切り離された筒状フィルムＦは、その折り癖が既に緩和されており、マンドレル３０によって開口された筒状フィルムＦが、フィルム送出ユニットによってマンドレル３０から送出された時点で、扁平な状態に戻りにくく、口径が容器Ｂの首部の外径より僅かに大きく設定されたタイトな筒状フィルムＦであっても、容器Ｂの首部に円滑かつ確実に被嵌することができる。
【００３５】
また、インナーガイドユニット６０は、一方のサポート側押圧ローラ８１Ａを、ばね板８０Ａの付勢力によって、一方のガイド側押圧ローラ６５に押圧しているので、双方のサポート側押圧ローラを完全に固定した状態で押圧する場合とは異なり、インナーガイド６１が長尺フィルムＬＦの幅方向に僅かに移動することができる状態となっている。従って、長尺フィルムＬＦがサポート側押圧ローラ８１Ａ、８１Ｂによる押圧箇所で詰まりにくく、長尺フィルムＬＦの折り癖を取りながら、インナーガイド６１を円滑かつ確実に通過させることができる。
【００３６】
また、このフィルム被嵌装置１では、インナーガイド６１の連結プレート６８の両側に配設された、長尺フィルム送出ユニット１０の駆動ローラ１１及び従動ローラ１２が、サポート側押圧ローラ８１Ａ、８１Ｂによって押し広げた長尺フィルムＬＦにおける両側縁の折り目部分を挟み込まないようになっているので、一旦折り癖が緩和された長尺フィルムＬＦの折り目部分に駆動ローラ１１及び従動ローラ１２によって再度折り癖が付けられることもない。
【００３７】
また、このインナーガイドユニット６０は、ガイドサポート７０を構成している一対の支持ローラ７７Ａ、７７Ｂによって、インナーガイド６１を支持するようにしたので、一対の上流側支持ローラ及び一対の下流側支持ローラによってインナーガイドを支持している従来のインナーガイドユニットに比べて、インナーガイド６１を支持している部分が短くなり、長尺フィルムＬＦの折り癖を緩和するためのガイド側押圧ローラ６５、６５やサポート側押圧ローラ８１Ａ、８１Ｂを設けても、インナーガイドユニット６０の全長が長くなることはなく、従来のインナーガイドユニットと略同様の設置スペースを確保すればよい。
【００３８】
なお、上述した実施形態では、一対のガイド側押圧ローラ６５、６５及び一対のサポート側押圧ローラ８１Ａ、８１Ｂを設けているが、これに限定されるものではなく、例えば、長尺フィルムＬＦの送出方向に複数対のガイド側押圧ローラ及び複数対のサポート側押圧ローラを配設し、長尺フィルムＬＦの折り癖を段階的に取るようにしてもよい。
【００３９】
また、上述した実施形態では、インナーガイドユニット６０に長尺フィルムＬＦの折り癖を緩和するためのガイド側押圧ローラ６５、６５やサポート側押圧ローラ８１Ａ、８１Ｂを設けているが、例えば、サークルカッターで長尺フィルムから筒状フィルムを切り離すタイプのフィルム被嵌装置や、ミシン目を形成した長尺フィルムを、そのミシン目部分で破断することで、筒状フィルムを切り離すタイプのフィルム被嵌装置については、マンドレル上で、長尺フィルムを切断または破断することになり、インナーガイドユニット自体を設ける必要がないので、そのようなタイプのフィルム被嵌装置の場合は、マンドレル部分にガイド側押圧ローラ６５、６５やサポート側押圧ローラ８１Ａ、８１Ｂに相当するローラを設け、これらのローラによってマンドレル上で長尺フィルムＬＦの折り目部分を挟み込んで押し広げることにより、長尺フィルムＬＦの折り癖を緩和すればよい。
【００４０】
また、上述した実施形態では、筒状フィルムＦをボトル容器Ｂの首部に被嵌するフィルム被嵌装置について説明したが、本願発明のインナーガイドユニットは、こういったフィルム被嵌装置に限定されるものではなく、種々の筒状フィルムを容器以外の種々の被嵌体に被嵌する場合に適用することができることはいうまでもない。
【産業上の利用可能性】
【００４１】
シュリンクラベルやキャップシール等の筒状フィルムを容器等の被嵌体に被嵌する装置に利用することができる。
【符号の説明】
【００４２】
１  フィルム被嵌装置
１０  長尺フィルム送出ユニット
１１  駆動ローラ
１２  従動ローラ
２０  フィルム切断ユニット
２１、２２  剪断刃
３０  マンドレル
４０  フィルム移送ユニット
４０Ａ  上流側フィードベルトユニット
４０Ｂ  下流側フィードベルトユニット
４１  駆動プーリ
４２、４３、４４  従動プーリ
４５  フィードベルト
５０  フィルム送出ユニット
５１  上流側ショットローラ
５２  下流側ショットローラ
６０  インナーガイドユニット
６１  インナーガイド
６２  被支持部
６３  ベース部材
６３ａ  導入プレート
６３ｂ  窪み部
６４Ｕ  上流側ガイドローラ
６４Ｄ  下流側ガイドローラ
６５  ガイド側押圧ローラ
６６  連結部材
６７  離反部
６８  連結プレート
６９  ばね板
７０  ガイドサポート
７１  ベースプレート
７２Ａ、７２Ｂ  軸受
７３Ａ、７３Ｂ  ねじ軸
７４  連結部材
７５  操作ハンドル
７６Ａ、７６Ｂ  スライドブロック
７７Ａ、７７Ｂ  支持ローラ
７８Ａ、７８Ｂ  サポート側押圧ローラユニット
７９Ａ、７９Ｂ  取付部材
８０Ａ  ばね板（付勢手段）
８０Ｂ  支持ブロック
８１Ａ、８１Ｂ  サポート側押圧ローラ
Ｂ  ボトル容器
Ｆ  筒状フィルム
ＬＦ  長尺フィルム
【図１】
2011195176.tif 000003
【図２】
2011195176.tif 000004
【図３】
2011195176.tif 000005
【図４】
2011195176.tif 000006
【図５】
2011195176.tif 000007
【図６】
2011195176.tif 000008
【図７】
2011195176.tif 000009
【図８】
2011195176.tif 000010
【図９】
2011195176.tif 000011
【図１０】
2011195176.tif 000012